(57)【要約】【課題】ＡＤＳＬなどの既存のネットワーク回線を有効に活用し、自宅やオフィスの状況を監視することができるようにし、不法侵入者に対して警察への通報などの対応を迅速にするとともに、キャリアフリー端末認証方式により、携帯電話などで簡単に利用することができるホームおよびオフィスのセキュリティ監視システムを構築することにある。【解決手段】監視センターに設置されたセンター監視サーバと、ユーザの自宅やオフィスに設置されたセキュリティサーバとを備え、該セキュリティサーバは、インターネットを介して前記センター監視サーバに相互に接続され、前記監視センターでユーザの自宅やオフィスのセキュリティを一元的に管理するセキュリティ監視システムであって、前記セキュリティサーバを、ＡＤＳＬなどのネットワーク回線を介して前記監視センターのセンター監視サーバに接続させるようにした。【選択図】　　図１
2004005294.tif 000002
【特許請求の範囲】
【請求項１】
監視センターに設置されたセンター監視サーバと、ユーザの自宅やオフィスに設置されたセキュリティサーバとを備え、該セキュリティサーバは、インターネットを介して前記センター監視サーバに相互に接続され、前記監視センターでユーザの自宅やオフィスのセキュリティを一元的に管理するセキュリティ監視システムであって、
前記セキュリティサーバを、ＡＤＳＬなどのネットワーク回線を介して前記監視センターのセンター監視サーバに接続させるようにしたことを特徴とするモバイル端末を利用したセキュリティ監視システム。
【請求項２】
前記インターネットには、携帯電話，携帯情報端末，ノートパソコンなどのモバイル端末がキャリアを介して接続され、該モバイル端末から、インターネットを介して、前記センター監視サーバおよび前記セキュリティサーバにアクセスするようにした請求項１に記載のモバイル端末を利用したセキュリティ監視システム。
【請求項３】
前記セキュリティサーバは、前記モバイル端末からのアクセス毎に、異なるパラメータが付加されたワンタイムＵＲＬをメール内に埋め込んで前記モバイル端末に返信するとともに、該ワンタイムＵＲＬに基づいて、前記セキュリティサーバで、前記モバイル端末からのアクセスを認証することにより、画像ファイルへのアクセスを許容して、前記モバイル端末から、直接にユーザの自宅やオフィスの様子を監視するようにした請求項２に記載のモバイル端末を利用したセキュリティ監視システム。
【請求項４】
前記センター監視サーバは、前記モバイル端末からのアクセスに対して、ユーザ名およびパスワードの認証を経て、前記セキュリティサーバへのアクセス用のワンタイムＵＲＬを作成してメール内に埋め込んで、前記モバイル端末に送信するようにした請求項２に記載のモバイル端末を利用したセキュリティ監視システム。
【請求項５】
前記監視センターには、ユーザ名やＥメールアドレスなどの個人情報を記憶したデータベースを備える請求項１に記載のモバイル端末を利用したセキュリティ監視システム。
【請求項６】
前記セキュリティサーバは、監視カメラや赤外線センサなどの監視機器に接続され、該監視機器からのセキュリティ情報を受けるようにした請求項１に記載のモバイル端末を利用したセキュリティ監視システム。
【発明の詳細な説明】
【０００１】
【発明の属する技術分野】
本発明は、携帯電話などのモバイル端末から、ＡＤＳＬなどのネットワーク回線を利用したモバイル端末を利用したセキュリティ監視システムの改良に関する。
【０００２】
【従来の技術】
近年、窃盗事件の増加とともに、ホーム及びオフィスのセキュリティニーズが高まる傾向にある。従来のホーム及びオフィスのセキュリティ事業は、２種類のサービスが提供されている。すなわち、警備保障会社と有人の警備契約を結び、機械による監視と人間による警備を依頼する第１の形態と、機器メーカーからホーム及びオフィスのセキュリティ機器を購入し、ユーザ自らが自宅やオフィスに設置する第２の形態とがある。
【０００３】
第１の形態は、主として警備保障会社が提供するサービスであり、ドアや窓が開けられたり破損されると、センサが感知して、これを警備保障会社に自動的に連絡し、警備保障会社では、電話で確認した後、ガードマンを現地に派遣して警備を行うような形態である。
【０００４】
第２の形態は、主としてセンサ機器メーカーが提供するサービスであり、センサなどのセキュリティ機器を設置して、ドアや窓が開けられたり破損されたことを機械的に検知し、侵入者に、音や光で威嚇したり、証拠としてカメラで撮影する機器を販売する形態である。
【０００５】
【発明が解決しようとする課題】
ところが、第１の形態では、一般ユーザーには、セキュリティ費用が高価になるという問題があった。さらに、警備保障会社が連絡を受けてから、実際にガードマンが現地にかけつけるまでの時間が長く、警備員が不審者を発見しても、警備員には逮捕などの権限がなく、警察に通報するだけであった。そのため、不法侵入者の対応に時間がかかるという問題があった。
【０００６】
また、第２の形態では、センサなどのセキュリティ機器が破壊されると、セキュリティ機能が発揮されないという問題があった。すなわち、監視カメラや赤外線センサそのものを壊してしまえば、不法侵入者に対して威嚇することもできず、記録もできないので、セキュリティ上、問題であった。
【０００７】
そこで、本発明の目的は、ＡＤＳＬなどの既存のネットワーク回線を有効に活用し、自宅やオフィスの状況を監視することができるようにし、不法侵入者に対して警察への通報などの対応を迅速にするとともに、キャリアフリー端末認証方式により、携帯電話などのモバイル端末で簡単に利用することができるホーム及びオフィスのセキュリティ監視システムを構築することにある。
【０００８】
【課題を解決するための手段】
本発明の上記目的は、監視センターに設置されたセンター監視サーバと、ユーザの自宅やオフィスに設置されたセキュリティサーバとを備え、該セキュリティサーバは、インターネットを介して前記センター監視サーバに相互に接続され、前記監視センターでユーザの自宅やオフィスのセキュリティを一元的に管理するセキュリティ監視システムであって、前記セキュリティサーバを、ＡＤＳＬなどのネットワーク回線を介して前記監視センターのセンター監視サーバに接続させるようにしたことにより、効果的に達成される。
【０００９】
また、上記目的は、前記インターネットには、携帯電話，携帯情報端末，ノートパソコンなどのモバイル端末がキャリアを介して接続され、該モバイル端末から、インターネットを介して、前記センター監視サーバおよび前記セキュリティサーバにアクセスするようにしたことにより、効果的に達成される。
【００１０】
また、上記目的は、前記セキュリティサーバで、前記モバイル端末からのアクセス毎に、異なるパラメータが付加されたワンタイムＵＲＬをメール内に埋め込んで前記モバイル端末に返信するとともに、該ワンタイムＵＲＬに基づいて、前記セキュリティサーバで、前記モバイル端末からのアクセスを認証することにより、画像ファイルへのアクセスを許容して、前記モバイル端末から、直接にユーザの自宅やオフィスの様子を監視するようにしたことにより、より効果的に達成される。
【００１１】
また、上記目的は、前記センター監視サーバでは、前記モバイル端末からのアクセスに対して、ユーザ名およびパスワードの認証を経て、前記セキュリティサーバへのアクセス用のワンタイムＵＲＬを作成してメール内に埋め込んで、前記モバイル端末に送信することにより、より効果的に達成される。
【００１２】
さらに、前記監視センターには、ユーザ名やＥメールアドレスなどの個人情報を記憶したデータベースを備えたり、前記セキュリティサーバは、監視カメラや赤外線センサなどの監視機器に接続され、該監視機器からのセキュリティ情報を受けるようにしたことにより、より一層効果的に達成される。
【００１３】
【発明の実施の形態】
以下、図面を参照しながら、本発明に係るモバイル端末を利用したセキュリティ監視システムの実施の形態を説明する。
【００１４】
図１は、本発明の基本概念を示し、監視センター１は、一般住宅やオフィスなどのセキュリティ契約を締結したユーザに対し、ホームおよびオフィスのセキュリティ情報を一元的に管理するようになっている。この監視センター１には、ウェブページを公開するためのウェブサーバ２と、メールを配信するためのメールサーバ３と、ユーザの自宅やオフィスのセキュリティ情報を管理するセンター監視サーバ４とが設置され、各サーバ２，３，４は、ユーザの固有情報などを記憶したデータベース５に接続している。
【００１５】
また、ユーザの自宅又はオフィスには、セキュリティサーバ６が設置されていて、該セキュリティサーバ６は、自宅又はオフィスの様子を撮影するための監視カメラ７や、人間に起因した赤外線を感知するための赤外線センサ８などが接続され、該監視カメラ７や赤外線センサ８などから、セキュリティ情報を受信して、不審者がユーザの自宅やオフィスに侵入するのを監視している。ここで、監視カメラ７の映像は、セキュリティサーバ６に接続されたハードディスクなどに記憶することができ、窃盗事件などの証拠として利用することができる。
【００１６】
そして、このセキュリティサーバ６は、インターネット９にＡＤＳＬ１０などのネットワーク回線を介して常時接続されている。このＡＤＳＬ１０は、音声通話で使用しない高い周波数域を利用する高速データ転送技術であって、本実施例では、既存のインフラ（通常電話回線）をそのまま利用するため、利用料が安価に設定される。
【００１７】
また、このセキュリティサーバ６は、監視センター１の各サーバ２，３，４にインターネット９を介して相互にデータ授受可能に接続されていて、監視カメラ７や赤外線センサ８などからのセキュリティ情報を監視センター１に送信するようになっている。また、ユーザは、ＮＴＴドコモやＡＵなどの通信業者の中継地としてのキャリア１１を介して、インターネット９に接続可能な携帯電話１２を所持すれば、携帯電話１２から、キャリヤ１１およびインターネット９を介して、監視センター１内の各サーバ２，３，４やセキュリティサーバ６に接続して、自宅やオフィスの様子を見ることができる。
【００１８】
また、監視センター１では、インターネット９およびＡＤＳＬ１０などのネットワーク回線を介してセキュリティサーバ６との間で自宅やオフィスのセキュリティ情報を常時監視するようになっている。そのため、セキュリティ情報に異常が発生した場合、監視センター１は、ユーザに対し、携帯電話１２にユーザの自宅又はオフィスの異常を通知することができる。そして、ユーザは、携帯電話１２から、後述する認証手順で、セキュリティサーバ６にアクセスすることができ、携帯電話１２から自宅又はオフィスの様子を見ることができる。
【００１９】
なお、監視センター１は、センター監視サーバ４などに格納された各種アプリケーションによって、セキュリティサーバ６からの情報を自動的に解析して処理するため、無人でもホームおよびオフィスのセキュリティが可能である。もちろん、監視センター１に監視員を配して、有人で監視モニターを見ながら、ホームおよびオフィスのセキュリティを行ってもよい。
【００２０】
次に、上記実施例のセキュリティ監視システムのフローを、図２及び図３に従って説明する。
【００２１】
図２に示すように、ユーザは、警備会社などとセキュリティ契約を結ぶと、携帯電話１２などのモバイル端末を利用し、センター監視サーバ４に、ユーザ名などの属性やＥメールアドレスなどの情報をユーザデータベース５に登録する。すなわち、ユーザは、携帯電話１２などで登録情報を入力し（ステップＳ１）、センター監視サーバ４に送信する（ステップＳ２）。また、センター監視サーバ４は、登録情報を受信し（ステップＳ３）、ユーザデータベース５に登録する（ステップＳ４）。そして、センター監視サーバ４は、ステップＳ５で、ユーザＩＤやパスワードなどのアクセス情報を送信すると、携帯電話１２などは、アクセス情報を受信する（ステップＳ６）。以降、これらのアクセス情報に基づいて、携帯電話１２からセンター監視サーバ４への通信が可能になる。
【００２２】
そして、図３は、携帯電話１２を利用して、自宅やオフィスの様子を監視するためのフローを示す。ユーザは、上記ユーザＩＤやパスワードなどの登録情報に基づいて正規ユーザとしてセンター監視サーバ４で認証されると、センター監視サーバ４にログイン画面の要求信号を送信する（ステップＳ１）。センター監視サーバ４は、ログイン画面の要求信号を受信する（ステップＳ２）と、ログイン画面をユーザの携帯電話１２に返送する（ステップＳ３）。
【００２３】
次に、ユーザは、ステップＳ４で、ログイン画面を受信した後、これを開くと、図４に示すような画面が表示されるので、ユーザ名およびパスワードを入力して、センター監視サーバ４に送信する（ステップＳ５）。センター監視サーバ４は、ステップＳ６で、ユーザ名およびパスワードが正しいか否かを判断し、ユーザ名若しくはパスワードが不正確である場合、ステップＳ７で正しいユーザ名およびパスワードの再送要求などのエラー処理が施される。一方、ステップＳ６で、ユーザ名およびパスワードが正確である場合、センター監視サーバ４はワンタイムＵＲＬを作成する（ステップＳ８）。なお、ワンタイムＵＲＬとは、センター監視サーバ４に登録されたセキュリティサーバ６に、１回だけアクセスが許されたＵＲＬである。
【００２４】
そして、ステップＳ９において、センター監視サーバ４は、専用ページのＵＲＬをメール内に埋め込んで、例えば図５に示すような形式で、ユーザのメールアドレスに送信する。このメールは、携帯電話１２などで受信され（ステップＳ１０）、メールを開いてワンタイムＵＲＬが取り出される。次に、ステップＳ１１で、このワンタイムＵＲＬをクリックすることにより、ブラウザを開いてセキュリティサーバ６にアクセスする。その際、セキュリティサーバ６は、ワンタイムＵＲＬを暗号化してセンター監視サーバ４に送信し（ステップＳ１２）、センター監視サーバ４で、ワンタイムＵＲＬが正しいか否かを判断してもらう（ステップＳ１３）。このワンタイムＵＲＬが正しくない場合、ワンタイムＵＲＬを破棄するとともに、再送要求などのエラー処理が施される（ステップＳ１４）。一方、ステップＳ１３で、ワンタイムＵＲＬが正しい場合、その旨をセキュリティサーバ６に送信する（ステップＳ１４）。
【００２５】
そして、セキュリティサーバ６は、ワンタイムＵＲＬの認証結果を受信する（ステップＳ１５）と、この認証結果に基づいて、携帯電話１２と直接にセキュリティ情報を通信する。すなわち、ステップＳ１６で、画像ファイルへのアクセス用のワンタイムＵＲＬと、次画面用のワンタイムＵＲＬを作成して携帯電話１２に送信する。携帯電話１２では、ステップＳ１７で、画像ファイルへのアクセス用のワンタイムＵＲＬと、次画面用のワンタイムＵＲＬを受信し、セキュリティサーバ６に画像要求信号を送信する（ステップＳ１８）。また、セキュリティサーバ６は、画像要求信号を受信し（ステップＳ１９）、ステップＳ２０で、セキュリティサーバ６でワンタイムＵＲＬを破棄するとともに、画像データを返信すると、携帯電話１２で画像データを受信して（ステップＳ２１）、図６に示すように、自宅やオフィスの状況を携帯電話１２に表示させる。さらに、携帯電話１２からセキュリティサーバ６に、次の画像要求信号を送信する（ステップＳ２２）と、セキュリティサーバ６は、画像要求信号を受信し（ステップＳ２３）、ステップＳ２４で、ワンタイムＵＲＬが正しいか否かを判断する。その際、ワンタイムＵＲＬが正しい場合、画像ファイルへのアクセス用のワンタイムＵＲＬと、次画面用のワンタイムＵＲＬを作成して、ステップＳ１８に戻って、ステップＳ１８からステップＳ２４の作業を繰り返すようになっている。
【００２６】
ここで、ワンタイムＵＲＬの形式は、ｈｔｔｐ：／／（ｈｓのＩＰアドレス）／ｈｓ（ランダムな文字列）．ｈｔｍｌ又はｈｔｔｐ：／／（ｈｓのＩＰアドレス）／ｉｍａｇｅ／ｈｓ（ランダムな文字列）．ｇｉｆであり、その具体例として、ｈｔｔｐ：／／ｗｗｗ．ｉｄｓ．ｃｏ．ｊｐ／ｍｅｍｂｅｒｓ？ＵＮ＝ｋｕｍ＆ＳＮ＝２Ｂ３３などである。ＵＮはユーザ名、ＳＮはシーケンスナンバーを表わし、ＵＲＬに付加されるパラメータである。シーケンスナンバーは、アクセスの度に変化し、セキュリティサーバ６が自動的に生成する。これにより、携帯電話１２のような場合でも、セキュリティ性の高いキャリアフリーの認証が可能になる。ただし、ユーザ名はユーザ毎に一定である。
【００２７】
従って、上記実施例では、ＡＤＳＬ１０などのネットワーク回線という既存の通信インフラを利用するため、自宅やオフィスを監視するためのホームおよびオフィスのセキュリティ監視システムを低コストで構築することができ、ユーザは、低料金で、確実なホームおよびオフィスのセキュリティを享受することができる。
【００２８】
また、ユーザは、携帯電話１２から自宅やオフィスのセキュリティサーバ６にアクセスするだけで、携帯電話１２で自宅やオフィスの様子を確認することができ、警察への通報など、迅速に対応することができる。また、ユーザは、携帯電話１２を使えればよく、パソコンなどの情報機器の使用が苦手な、いわゆる情報弱者でも簡単に自宅やオフィスのセキュリティを確保することができる。
【００２９】
その際、携帯電話１２からセキュリティサーバ６へのアクセスは、アクセス毎に、セキュリティサーバ６でワンタイムＵＲＬの認証が行われ、ワンタイムＵＲＬが正しくなければ、自宅などの画像データは、携帯電話１２に送信されない。すなわち、ワンタイムＵＲＬは、アクセス毎に、シーケンスナンバーなどのパラメータを変えることにより、１回だけのアクセスが許されるＵＲＬである。よって、正規ユーザ以外の第三者にユーザＩＤやパスワードなどの固有情報やＵＲＬが渡ったとしても、それだけでは、セキュリティサーバ６にアクセスして、ユーザの自宅やオフィスの様子を勝手に覗かれることがない。すなわち、携帯電話１２を用いても、セキュリティ性の高いキャリアフリーの認証が可能で、第三者が、セキュリティサーバ６に不法にアクセスしたり、ユーザの自宅やオフィスの様子を勝手に覗かれたりすることがない。
【００３０】
しかも、自宅やオフィスの様子は、セキュリティサーバ６からのセキュリティ情報に基づいて監視センター１で常時監視されるので、例えば監視カメラ７やセキュリティサーバ６などのセキュリティ機器が破壊された場合でも、システムの異常と判断され、即座に対応することができる。
【００３１】
【発明の効果】
以上のように、本発明に係るモバイル端末を利用したセキュリティ監視システムによると、監視センターに設置されたセンター監視サーバと、ユーザの自宅やオフィスに設置されたセキュリティサーバとを備え、該セキュリティサーバは、インターネットを介して前記センター監視サーバに相互に接続され、前記監視センターでユーザの自宅やオフィスのセキュリティを一元的に管理するセキュリティ監視システムであって、前記セキュリティサーバを、ＡＤＳＬなどのネットワーク回線を介して前記監視センターのセンター監視サーバに接続させるようにした。これにより、既存の社会インフラであるＡＤＳＬなどのネットワーク回線をそのまま利用することができ、設備費および利用料が低コストになる。また、セキュリティサーバへのアクセス毎に、ＵＲＬを変化させるようにして、キャリアフリーの認証を可能としたので、第三者が不正にユーザの自宅やオフィスの様子を眺めることができず、携帯電話などのモバイル端末を利用しても、セキュリティ性を高く維持することができる。
【図面の簡単な説明】
【図１】本発明に係るモバイル端末を利用したセキュリティ監視システムの概略構成を示す図である。
【図２】前記セキュリティ監視システムにおけるユーザ登録手順を示す図である。
【図３】前記セキュリティ監視システムの手順を示すフローチャートである。
【図４】ユーザ名などを入力するためのログイン画面を示す図である。
【図５】メールに埋め込まれたワンタイムＵＲＬを示す図である。
【図６】携帯電話に表示されたユーザ宅の様子を示す図である。
【符号の説明】
１　　　　　監視センター
２　　　　　ウェブサーバ
３　　　　　メールサーバ
４　　　　　センター監視サーバ
６　　　　　セキュリティサーバ
７　　　　　監視カメラ
８　　　　　赤外線センサ
９　　　　　インターネット
１０　　　　　ＡＤＳＬ
１１　　　　　キャリア
１２　　　　　携帯電話
【図１】
2004005294.tif 000003
【図２】
2004005294.tif 000004
【図３】
2004005294.tif 000005
【図４】
2004005294.tif 000006
【図５】
2004005294.tif 000007
【図６】
2004005294.tif 000008